(57)【要約】【課題】畦の草を刈り取るときに誤って稲を刈るのを防ぐことができる草刈り機の補助具を提供する。【解決手段】取付部材１１が、草刈り機の柄１に取り付けられる。飛散防止部材１２が、取付部材１１に固定されている。飛散防止部材１２は、取付部材１１が柄１に取り付けられたとき、刈られた草を受けるよう草刈り機の回転刃２の上面に沿って伸びるよう配置される。ガード部材１３が、可撓性を有し、全体がＵ字状であって、両端１３ａ，１３ｂが飛散防止部材１２に着脱可能に取り付けられている。ガード部材１３は、取付部材１１が柄１に取り付けられたとき、少なくとも一部が飛散防止部材１２の草を受ける側１２ｃの反対側１２ｄで回転刃２の縁部２ａより外側に突出して回転刃２の縁部２ａをカバーする。ガード部材１３は、飛散防止部材１２の長さ方向に沿って両端１３ａ，１３ｂの取付位置を調節可能に取り付けられている。【選択図】図１
0003113880.tif 000002
【実用新案登録請求の範囲】
【請求項１】
柄の先端に円盤状の回転刃を有する草刈り機に取り付けて使用するための草刈り機の補助具であって、
取付部材と飛散防止部材とガード部材とを有し、
前記取付部材は前記柄に取り付けられ、
前記飛散防止部材は前記取付部材に固定され、前記取付部材が前記柄に取り付けられたとき、刈られた草を受けるよう前記回転刃の上面に沿って伸びるよう配置され、
前記ガード部材は全体がＵ字状であって両端が前記飛散防止部材に取り付けられ、前記取付部材が前記柄に取り付けられたとき、少なくとも一部が前記飛散防止部材の草を受ける側の反対側で前記回転刃の縁部より外側に突出して前記回転刃の縁部をカバーすることを、
特徴とする草刈り機の補助具。
【請求項２】
前記ガード部材は可撓性を有し、前記飛散防止部材の長さ方向に沿って両端の取付位置を調節可能でかつ着脱可能に前記飛散防止部材に取り付けられていることを、特徴とする請求項１記載の草刈り機の補助具。
【考案の詳細な説明】
【技術分野】
【０００１】
本考案は、柄の先端に円盤状の回転刃を有する草刈り機に取り付けて使用するための草刈り機の補助具に関する。
【背景技術】
【０００２】
従来の草刈り機として、回転刃により刈られた草を受けて回転刃の外側方に案内する草受けガイドを、柄に高さ変更可能に設け、安全カバーを草受けガイドの上方の柄に高さ変更可能に設けたものがある（例えば、特許文献１参照）。
【０００３】
【特許文献１】特許第２９３１２８４号公報
【考案の開示】
【考案が解決しようとする課題】
【０００４】
しかしながら、特許文献１記載の草刈り機では、畦の草を刈り取るとき、刈り取る草に注意が向かうため、回転刃の草を刈る側と反対の側で誤って稲を刈ってしまうことがあるという課題があった。
【０００５】
本考案は、このような従来の課題に着目してなされたもので、畦の草を刈り取るときに誤って稲を刈るのを防ぐことができる草刈り機の補助具を提供することを目的とする。
【課題を解決するための手段】
【０００６】
上記目的を達成するために、本考案に係る草刈り機の補助具は、柄の先端に円盤状の回転刃を有する草刈り機に取り付けて使用するための草刈り機の補助具であって、取付部材と飛散防止部材とガード部材とを有し、前記取付部材は前記柄に取り付けられ、前記飛散防止部材は前記取付部材に固定され、前記取付部材が前記柄に取り付けられたとき、刈られた草を受けるよう前記回転刃の上面に沿って伸びるよう配置され、前記ガード部材は全体がＵ字状であって両端が前記飛散防止部材に取り付けられ、前記取付部材が前記柄に取り付けられたとき、少なくとも一部が前記飛散防止部材の草を受ける側の反対側で前記回転刃の縁部より外側に突出して前記回転刃の縁部をカバーすることを、特徴とする。
【０００７】
本考案に係る草刈り機の補助具は、柄の先端に円盤状の回転刃を有する草刈り機の柄に取付部材を取り付けて使用される。草刈り機により草を刈るとき、飛散防止部材の草を受ける側の回転刃により草を刈る。刈られた草は、飛散防止部材で受けられるので、飛び散るのを防ぐことができる。このため、草刈り後に、刈った草を集める必要がなくなるので、それに要する時間や手間を減らすことができる。また、飛散防止部材の草を受ける側の反対側では、ガード部材の少なくとも一部が回転刃の縁部をカバーしているため、畦の草を刈るとき、刈り取る草の方に注意が向いていても、草を刈る側と反対の側で誤って稲を刈ってしまうのを防ぐことができる。
【０００８】
本考案に係る草刈り機の補助具で、前記ガード部材は可撓性を有し、前記飛散防止部材の長さ方向に沿って両端の取付位置を調節可能でかつ着脱可能に前記飛散防止部材に取り付けられていることが好ましい。この構成では、ガード部材が可撓性を有し、全体がＵ字状であるため、ガード部材の両端の間隔を狭くして飛散防止部材に取り付けることにより、回転刃の縁部より外側に突出した部分の範囲を狭くし、その突出量を大きくすることができる。これにより、回転刃の刈取り可能範囲を広げるとともに、特定の狭い範囲で安全度を高めることができる。また、ガード部材の両端の間隔を広くして飛散防止部材に取り付けることにより、回転刃の縁部より外側に突出した部分の突出量を小さくして、その範囲を広くすることができる。これにより、回転刃の刈取り可能範囲を特定の部分に限定するとともに、回転刃をカバーする範囲を広げることができる。このように、用途に応じてガード部材を調節し、効率的に草を刈ることができる。
【考案の効果】
【０００９】
本考案によれば、畦の草を刈り取るときに誤って稲を刈るのを防ぐことができる草刈り機の補助具を提供することができる。
【考案を実施するための最良の形態】
【００１０】
以下、図面に基づき本考案の実施の形態について説明する。
図１および図２は、本考案の実施の形態の草刈り機の補助具を示している。
図１および図２に示すように、草刈り機の補助具は、取付部材１１と飛散防止部材１２とガード部材１３とを有している。
【００１１】
図１に示すように、取付部材１１は、Ｕボルトセットから成っている。Ｕボルトセットは、Ｕボルトとプレートと１対のナットとから成る。取付部材１１は、Ｕボルトとプレートとの間に草刈り機の柄１を挟み、Ｕボルトの両端にナットを螺合させて柄１の先端部に取り付けられている。
図１および図２に示すように、飛散防止部材１２は、ほぼ矩形状の金属板から成っている。飛散防止部材１２は、幅方向に沿って２箇所で折り曲げられ、両端部１２ａ，１２ｂが互いに平行になっている。飛散防止部材１２は、一方の端部１２ａに第１固定孔１４を有し、他方の端部１２ｂに長さ方向に沿って３つの第２固定孔１５を有している。飛散防止部材１２は、長さ方向の中央で、長さ方向が取付部材１１の幅方向に対して斜めになるよう取付部材１１の中央背面部１１ａに固定されている。飛散防止部材１２は、取付部材１１が柄１に取り付けられたとき、刈られた草を受けるよう回転刃２の上面に沿って伸びるよう配置されている。
【００１２】
図１に示すように、ガード部材１３は、細長く、可撓性を有する金属板から成っている。ガード部材１３は、全体がＵ字状に曲げられて、飛散防止部材１２の草を受ける側１２ｃの反対側１２ｄに取り付けられている。ガード部材１３は、両端１３ａ，１３ｂが飛散防止部材１２の両端部１２ａ，１２ｂの第１固定孔１４および第２固定孔１５にそれぞれボルト（図示せず）で着脱可能に取り付けられている。図２に示すように、ガード部材１３は、飛散防止部材１２の他方の端部１２ｂに設けられた３つの第２固定孔１５により、取付位置を調節可能になっている。図１に示すように、ガード部材１３は、取付部材１１が柄１に取り付けられたとき、少なくとも一部が回転刃２の縁部２ａより外側に突出して回転刃２の縁部２ａをカバーしている。
【００１３】
次に、作用について説明する。
図１および図２に示すように、草刈り機の補助具は、柄１の先端に円盤状の回転刃２を有する草刈り機の柄１に取付部材１１を取り付けて使用される。草刈り機により草を刈るとき、飛散防止部材１２の草を受ける側１２ｃの回転刃２により草を刈る。刈られた草は、飛散防止部材１２で受けられるので、飛び散るのを防ぐことができる。このため、草刈り後に、刈った草を集める必要がなくなるので、それに要する時間や手間を減らすことができる。また、飛散防止部材１２の草を受ける側１２ｃの反対側１２ｄでは、ガード部材１３の少なくとも一部が回転刃２の縁部２ａをカバーしているため、畦の草を刈るとき、刈り取る草の方に注意が向いていても、草を刈る側１２ｃと反対の側１２ｄで誤って稲を刈ってしまうのを防ぐことができる。
【００１４】
図１に示すように、ガード部材１３が可撓性を有し、全体がＵ字状であるため、ガード部材１３の両端１３ａ，１３ｂの間隔を狭くして飛散防止部材１２に取り付けることにより、回転刃２の縁部２ａより外側に突出した部分の範囲を狭くし、その突出量を大きくすることができる。これにより、回転刃２の刈取り可能範囲を広げるとともに、特定の狭い範囲で安全度を高めることができる。また、ガード部材１３の両端１３ａ，１３ｂの間隔を広くして飛散防止部材１２に取り付けることにより、回転刃２の縁部２ａより外側に突出した部分の突出量を小さくして、その範囲を広くすることができる。これにより、回転刃２の刈取り可能範囲を特定の部分に限定するとともに、回転刃２をカバーする範囲を広げることができる。このように、用途に応じてガード部材１３を調節し、効率的に草を刈ることができる。
【図面の簡単な説明】
【００１５】
【図１】本考案の実施の形態の草刈り機の補助具の使用状態を示す平面図である。
【図２】図１に示す草刈り機の補助具の使用状態を示す（ａ）背面図、（ｂ）正面図である。
【符号の説明】
【００１６】
１    柄
２    回転刃
１１  取付部材
１２  飛散防止部材
１３  ガード部材
１４  第１固定孔
１５  第２固定孔
【図１】
0003113880.tif 000003
【図２】
0003113880.tif 000004